(57)【特許請求の範囲】
【請求項１】
スケルチ機能を持たない受信機と、同期信号を検出し、該検出された同期信号により暗号化されたデジタル信号を変調し音声を復号するとともに、検出された前記同期信号とスケルチ回路の出力とを用いて、前記受信機の出力における通常の音声出力と前記復号された音声出力とを切替える切替機能を有する秘話装置受信系とから構成される秘話装置の同期信号除去方式において、
前記スケルチ回路により受信信号が検出されるとタイマーを起動すると共に、前記タイマーの設定時間経過までの間に前記同期信号が検出された場合はフリップフロップをリセットし、前記同期信号が検出されない場合は前記フリップフロップをセットし、前記タイマーの設定時間経過後、前記フリップフロップがセットされている場合は前記切替機能により前記受信機の出力における通常の音声出力を行い、前記フリップフロップがリセットされている場合は前記切替機能により前記復号された音声出力を行うことを特徴とする秘話装置の同期信号除去方式。
【請求項２】
スケルチ機能を持たない受信機と、同期信号を検出し、該検出された同期信号により暗号化されたデジタル信号を変調し音声を復号するとともに、検出された前記同期信号とスケルチ回路の出力とを用いて、前記受信機の出力における通常の音声出力と前記復号された音声出力とを切替える切替機能を有する秘話装置受信系とから構成されるデジタル秘話装置において、
前記スケルチ回路により受信信号が検出されるとタイマーを起動すると共に、前記タイマーの設定時間経過までの間に前記同期信号が検出された場合はリセットされ、前記同期信号が検出されない場合はセットされ、前記タイマーの設定時間経過後、セットされている場合は前記切替機能により前記受信機の出力における通常の音声出力を行い、リセットされている場合は前記切替機能により前記復号された音声出力を行なうフリップフロップを備えたことを特徴するデジタル秘話装置。
【発明の詳細な説明】
【０００１】
【産業上の利用分野】
本発明は、無線回線を使用し、秘話通信を行う際、通常の生通信と秘話通信を自動的に切替える機能とスケルチ機能を備えた秘話通信装置において、生通信と秘話通信の自動切替え検出時間までに話者に聞える秘話の同期音を禁止または同期信号であることを話者に知らせる秘話装置の同期信号除去方式、及び、デジタル秘話装置に関するものである。
【０００２】
【従来の技術】
図２は無線機と秘話装置を組合せた秘話通信系のブロック図である。
１１はアンテナ、１２は送受信機、１３はデジタル秘話装置である。
送信の場合、音声はデジタル秘話装置１３で秘話化された後、無線送受信機１２の送信部によりアンテナ１１を通して電波として放射される。受信の場合、前述の電波をアンテナ１１より無線送受信機１２の受信部で受信した後、秘話装置１３に入力され、秘話化された信号は音声に変換される。
【０００３】
図３はデジタル秘話装置のブロック図である。
１６は音声を帯域圧縮してデジタル化又はデジタル化された音声信号を復調し音声に変換する音声符号・復号化器、１５はデジタル信号を暗号化または暗号化されたデジタル信号の暗号を解く暗号器、１４はデジタル信号を無線機の変調信号に変換または無線機からの信号をデジタル信号に復調する変復調器である。
送信の場合、マイクからの音声信号は、音声符号・復号化器１６でデジタル信号に変換され、暗号器１５で乱数を掛けることにより暗号化される。暗号化されたデジタル信号は変復調器１４で無線機の変調入力である変調信号に変換される。
受信の場合、無線機からの受信された信号は、変復調器１４で復調され、デジタル信号に変換される。その信号は、暗号器１５で暗号を解かれ、音声符号・復号化器１６で音声信号に変換され、スピーカーに供給されて音声として出力される。
【０００４】
図４は通常の通信および秘話の自動切替えを行う装置（受信）を示すブロック図である。
１は受信機、２は図２の秘話装置内の受信系を示す。３はスケルチ回路（ＳＱＵ）、４は復調器（ＤＥＭ）、５は暗号同期、音声符号・復号化器のフレーム同期の為の同期信号検出回路（ＳＹＤ）、６は暗号を解く暗号器の復号回路、７は音声復号化器、８はフリップフロップ（ＦＦ）、９はアナログスイッチ（ＳＷ）を示す。
秘話の場合、受信機１の出力は、復調器４でデジタル信号に復調され、その信号は復号回路６と同期信号検出回路５に送られ、同期信号検出回路５で同期が取られると、復号回路６では暗号が解かれる。暗号が解かれたデジタル信号は、音声復号化器７に送られ、そこで音声信号に復元されて入力端子Ｉ1 よりアナログスイッチ９を通り、出力端子Ｏより出力される。
また、通常の受信の場合（秘話でない場合）、受信機１の出力は入力端子Ｉ2 よりアナログスイッチ９を通り、出力端子Ｏより出力される。
このように、秘話の場合と、通常の通信の場合はアナログスイッチ９で入力端子Ｉ1 に入力する音声信号または入力端子Ｉ2 に入力する受信信号のどちらかの信号を出力端子Ｏより出力するか否かに拠って決まる。
【０００５】
以下、アナログスイッチ９の切替え制御方法について説明する。
まず、受信信号がない場合でイニシャル時は、受信機の雑音でスケルチ回路３が動作し、フリップフロップ８をセットし、出力端子Ｏの出力は音声復号化器７の出力を選択するが同期信号検出回路５で同期が取れないため、復号回路６、音声復号化器７は動作せず、入力端子Ｉ1 側に出力がでない。そのため、結果的には出力端子Ｏには何も出力されない（何も聞こえない）。
次に受信機１が信号を受信すると（秘話が通常の通信かどうか解らない）、秘話の場合、同期信号検出回路５で同期が掛かり、フリップフロップ８をリセットし、アナログスイッチ９は音声復号化器７の出力信号を通す。このとき秘話の再生された音声が出力される。
通常の受信の場合（秘話でない時）、同期信号検出回路５の同期信号が出力されないため、フリップフロップ８はセットされたままになっており、受信機１より出力する受信信号をそのまま出力する。
このように秘話の場合、スケルチ回路３が動作し、フリップフロップ８をセットし、同期信号検出回路５で同期信号が検出されてフリップフロップ８がリセットされるまでの時間すなわち、受信されてから同期信号が検出されるまでの時間、秘話のかかった信号を出力することになり、この時間、秘話と同じ音を聞くことになる。
【０００６】
【発明が解決しようとする課題】
従来の方式では、信号が装置に受信されるとスケルチ回路が開き、次に同期信号が検出されるまで、秘話音が話者に聞こえるため、雑音を聞くのと同様の不快感を受ける。
特にプレストーク方式の通信方式では、プレスのたびに同期信号が送出されるため、その度に、雑音を聞くことと同じことになり、非常にうるさく感じることもあり、場合によっては苦痛を感じることもしばしばであった。
【０００７】
【課題を解決するための手段】
本発明は、上記の課題を解決するためになされたものであって、スケルチ機能を持たない受信機と、同期信号を検出し、該検出された同期信号により暗号化されたデジタル信号を変調し音声を復号するとともに、検出された前記同期信号とスケルチ回路の出力とを用いて、前記受信機の出力における通常の音声出力と前記復号された音声出力とを切替える切替機能を有する秘話装置受信系とから構成される秘話装置の同期信号除去方式において、前記スケルチ回路により受信信号が検出されるとタイマーを起動すると共に、前記タイマーの設定時間経過までの間に前記同期信号が検出された場合はフリップフロップをリセットし、前記同期信号が検出されない場合は前記フリップフロップをセットし、前記タイマーの設定時間経過後、前記フリップフロップがセットされている場合は前記切替機能により前記受信機の出力における通常の音声出力を行い、前記フリップフロップがリセットされている場合は前記切替機能により前記復号された音声出力を行うことを特徴とする。
また、本発明は、スケルチ機能を持たない受信機と、同期信号を検出し、該検出された同期信号により暗号化されたデジタル信号を変調し音声を復号するとともに、検出された前記同期信号とスケルチ回路の出力とを用いて、前記受信機の出力における通常の音声出力と前記復号された音声出力とを切替える切替機能を有する秘話装置受信系とから構成されるデジタル秘話装置において、前記スケルチ回路により受信信号が検出されるとタイマーを起動すると共に、前記タイマーの設定時間経過までの間に前記同期信号が検出された場合はリセットされ、前記同期信号が検出されない場合はセットされ、前記タイマーの設定時間経過後、セットされている場合は前記切替機能により前記受信機の出力における通常の音声出力を行い、リセットされている場合は前記切替機能により前記復号された音声出力を行なうフリップフロップを備えたことを特徴する。
【０００８】
【作  用】
上記のような構成であるから、スケルチ回路３からのスケルチ信号とそれらを通らない同期信号検出回路５からの信号で、音声復号化器７より出力する音声信号と受信機１より出力する受信信号を切替え出力させる回路８にタイマー１０の出力が入力され、タイマー１０の設定時間、即ち、受信から同期信号が検出されるまでの時間、秘話信号（同期信号なので、直接聞いても判断ができず、雑音となる）が聞えなくなるか、同期信号を受信している旨通知され、その間、聞かないことになる。
【０００９】
【実施例】
図１は本発明方式の１実施例の構成を示すブロック図である。
まず、その構成を説明する。
１は受信機、３はスケルチ回路で、信号がある場合、本実施例の場合では通常の通信および秘話通信時に開く。４は変復調器の復調器、６は暗号器の復号回路、７は音声復号化器で、復号回路６と復号化器７は同期信号検出回路５で同期信号が検出され、その結果で動作する。８はセット、リセット付きのフリップフロップで、その結果をクロックで読出すことが出来る。９はアナログスイッチ、１０は秘話信号を受信してから、同期検出に要する時間に設定されたタイマーである。
【００１０】
初期状態では受信機１が信号を受けていないとき、受信機内部の雑音を秘話装置内の受信系２に出力しているので、この雑音でスケルチ回路３のスケルチは閉じた状態になっている。この出力で、フリップフロップ８はリセットされ、その結果アナログスイッチ９は音声復号化器７の出力を出すように切替えられている。音声復号化器７の出力には信号がないので、アナログスイッチ９の出力端子Ｏにはなにも出力されない。
今、信号が受信機１から出力されると、スケルチ回路３が開き、タイマー１０が動作を始める。それと同時に、復調器４で復調され、同期信号検出回路５で同期信号が検出される。その検出出力で復号回路６と音声復号化器７の動作が開始される。すなわち、復調器４の復調出力は復号回路６で暗号の復号が行われ、その信号出力は音声復号化器７で音声の復号が行われ、音声信号に復元される。復元された音声信号はアナログスイッチ９の入力端子Ｉ1 の入力となる。
一方、同期信号検出回路５の同期検出出力はフリップフロップ８のサンプリングされる入力となり、タイマー１０の出力でサンプリングされ、アナログスイッチ９の切替え信号となり、同期が取れた場合は、前述の音声信号を出力端子Ｏに出力する。もし、同期が取れなかった場合は、アナログスイッチ９を受信機１の出力に切替えるため受信機１の受信信号の出力が出力端子Ｏに出力される。
【００１１】
【発明の効果】
本発明を実施することにより、本来通話内容に関係ない音を聞くことによって生じる精神的な苦痛を排除することができ、通信の効率化を図ることができる。
【図面の簡単な説明】
【図１】本発明方式の１実施例の構成を示すブロック図である。
【図２】無線機と秘話装置を組合せた秘話通信系のブロック図である。
【図３】デジタル秘話装置のブロック図である。
【図４】通常の通信および秘話の自動切替えを行う装置（受信）を示すブロック図である。
【符号の説明】
１  受信機
２  秘話装置の受信系
３  スケルチ回路
４  復調器
５  同期信号検出回路
６  復号回路
７  音声復号化器
８  フリップフロップ
９  アナログスイッチ
１０  タイマー
１１  アンテナ
１２  送受信機
１３  秘話装置
１４  変復調器
１５  暗号器
１６  音声符号・復号化器
【図１】
0003638986.tif 000002
【図２】
0003638986.tif 000003
【図３】
0003638986.tif 000004
【図４】
0003638986.tif 000005